(57)【要約】      （修正有）【課題】タックシートの表面に毛筆や絵筆等筆記具を選ぶことなく筆文字や水墨画や絵手紙や絵画を簡単確実に書くことができるタックシートを提供する。【解決手段】タックシート１は、コーティング紙等からなるベースペーパー２と、該ベースペーパー２の表面に貼剥自在に貼付されたタックペーパー３と、該タックペーパー３の裏面に塗付された貼剥自在性を備えた接着剤４と、上記タックペーパー３の表面には、接合剤５により一体接合されていて毛筆や絵筆等の筆記用具により筆文字や水墨画や絵手紙や絵画を自在に書くことができる和紙や画仙紙や洋紙その他の用紙からなるライティングペーパー６と、から構成されており、該ライティングペーパー６が上記タックペーパー３の表面に接合剤５により一体接合されることにより、毛筆や絵筆等の筆記用具により筆文字や水墨画や絵手紙や絵画を自在に書くことができる。【選択図】図１
2006350268.tif 000002
【特許請求の範囲】
【請求項１】
ベースペーパーの表面に裏面に接着剤が塗付されたタックペーパーが貼剥自在に貼付されたタックシートにおいて、
該タックペーパーの表面には、毛筆や絵筆等の筆記用具により筆文字や水墨画や絵手紙や絵画等を自在に書くことができる和紙や画仙紙や洋紙その他の用紙からなるライティングペーパーが接合剤等により一体接合されている、
ことを特徴とするタックシート。
【請求項２】
ライティングペーパーは、
毛筆や絵筆等の筆記用具により筆文字や水墨画や絵手紙や絵画等を自在に書くことができる和紙である、
ことを特徴とする請求項１記載のタックシート。
【請求項３】
ライティングペーパーは、
毛筆や絵筆等の筆記用具により筆文字や水墨画や絵手紙や絵画等を自在に書くことができる画仙紙である、
ことを特徴とする請求項１記載のタックシート。
【請求項４】
ライティングペーパーは、
毛筆や絵筆等の筆記用具により筆文字や水墨画や絵手紙や絵画等を自在に書くことができる洋紙である、
ことを特徴とする請求項１記載のタックシート。
【請求項５】
タックペーパーの表面にライティングペーパーが接合剤等により一体接合されているタックシートは、
郵便や宅配便その他の配送物の表書用に貼付して使用出来る、
ことを特徴とする請求項１〜請求項４の何れかに記載のタックシート。
【請求項６】
タックペーパーの表面にライティングペーパーが接合剤等により一体接合されているタックシートは、
封筒や郵便葉書や郵便書簡（ミニレター）や電子郵便（レタックス）や電報その他の郵便物の記載面に貼付して使用出来る、
ことを特徴とする請求項１〜請求項４の何れかに記載のタックシート。
【請求項７】
タックペーパーの表面にライティングペーパーが接合剤等により一体接合されているタックシートは、
ボードや板や額その他の作品展示用ベースに貼付して使用出来る、
ことを特徴とする請求項１〜請求項４の何れかに記載のタックシート。
【請求項８】
タックペーパーの表面にライティングペーパーが接合剤等により一体接合されているタックシートは、
ボトル、缶等の容器や書籍、カレンダ、カタログ、パンフレット等の印刷物や団扇、扇子、旗、掛軸等の紙製品、その他の製品に貼付して使用出来る、
ことを特徴とする請求項１〜請求項４の何れかに記載のタックシート。
【発明の詳細な説明】
【技術分野】
【０００１】  本発明は、タックシートに関し、特に毛筆や絵筆等の筆記用具により筆文字や水墨画や絵手紙や絵画を自在に書くことができ、郵便や宅配便や作品展示用ベース、その他に貼付して使用して最適なタックシートに関する。
【背景技術】
【０００２】  従来、一般にインデックスやガイドに使用されるタックシートは、ベースペーパーに貼付してあるものを使用に際して剥がして用いるので、貼付に適するように破損しない強度のあるコーティング紙等が使用される為、該タックシートの表面に鉛筆やボールペンやペンや毛筆等により文字や絵を書くのが非常に困難であるという問題点があった。【０００３】  この為、従来のタックシートは、用途が狭い範囲に限定されると共に、使用する筆記具も制限されるばかりでなく、実際に書いてみると書き難いばかりでなく、しっかりと鮮明に書けない為に書いたものも読み難いという問題点があった。
【発明の開示】
【発明が解決しようとする課題】
【０００４】  このような従来技術の問題点に鑑み、本発明の主な目的は、
タックシートの表面に毛筆や絵筆等の筆記用具により筆文字や水墨画や絵手紙や絵画を非常に簡単で楽に書くことができる共に、書いたものも鮮やかに表現され、郵便や宅配便や作品展示用ベース、その他に汎用に使用することができる改良されたタックシートを提供することにある。
【課題を解決するための手段】
【０００５】  このような目的は、本発明によれば、
ベースペーパーの表面に裏面に接着剤が塗付されたタックペーパーが貼剥自在に貼付されたタックシートにおいて、
該タックペーパーの表面には、毛筆や絵筆等の筆記用具により筆文字や水墨画や絵手紙や絵画を自在に書くことができる和紙や画仙紙や洋紙その他の用紙からなるライティングペーパーが接合剤等により一体接合されている、
ことを特徴とするタックシート、
を提供することにより達成される。
【発明の効果】
【０００６】  このような本発明によれば、タックペーパーの表面には、毛筆や絵筆等の筆記用具により筆文字や水墨画や絵手紙や絵画を自在に書くことができる和紙や画仙紙や洋紙その他の用紙からなるライティングペーパーが、接合剤等により一体接合されているタックシートとしたので、
タックシートの表面に毛筆や絵筆等、筆記具を選ぶことなく筆文字や水墨画や絵手紙や絵画を非常に簡単で確実に楽に書くことができる共に、書いたものも鮮やかに表現され、余分な作業を解消して、多用途に汎用的に使用することができるようになる。【０００７】  すなわち、
（１）ライティングペーパーが毛筆や絵筆等の筆記用具により筆文字や水墨画や絵手紙や絵画を自在に書くことができる和紙や画仙紙や洋紙その他の用紙から形成したので、これらの筆記用具により筆文字や水墨画や絵手紙や絵画を自在に書くことが非常に困難であるという従来技術の問題点が解消され、文字や絵を効率よく書くことが出来る利点がある。
（２）ライティングペーパーが和紙や画仙紙や洋紙等からなるので、筆文字や水墨画や絵手紙や絵画を自在に書くことができ、書いたものも色鮮やかに表現されるので、従来のインデックスのみでなく、配送物の表書や包装物や紙製品や郵便物や作品等に幅広く使用することが出来る利点がある。
（３）郵便や宅配便その他の配送物の表書用に使用出来るので、従来の表書用紙のように筆記用具がボールペンに制限されることなく、毛筆や絵筆等の筆記用具によりペン字に制限されず、筆文字や水墨画や絵手紙や絵画を自在に書くことができ、配送物の表書のみでなく、包装物やボトル、缶等の容器や書籍、カレンダ、カタログ、パンフレット等の印刷物や団扇、扇子、旗、掛軸等の紙製品、その他の製品に貼付し使用出来るばかりでなく、ボードや板や額その他の作品展示用ベースに貼付して使用でき、幅広く適用できる利点がある。
（４）封筒や郵便葉書や郵便書簡（ミニレター）や電子郵便（レタックス）や電報その他の郵便物の記載面に貼付して使用出来るので、従来のように用紙の資質に制限されて筆記用具が制限されることがなく、毛筆や絵筆その他の幅広い筆記用具を使用して、筆文字や水墨画や絵手紙や絵画その他のものをこれらに自在に書くことができる利点がある。
（５）ボードや板や額その他の作品展示用ベースに貼付して使用出来るので、作品展示用ベースの材料に無関係に、毛筆や絵筆等の筆記用具により筆文字や水墨画や絵手紙や絵画その他の作品を表装や裏打をすることなく簡単かつ確実に作ることができる利点がある。
（６）ボトル、缶等の容器や書籍、カレンダ、カタログ、パンフレット等の印刷物や団扇、扇子、旗、掛軸等の紙製品、その他の製品に貼付して使用出来るので、製品の材料に無関係に、毛筆や絵筆、その他の幅広い筆記用具を使用して、筆文字や水墨画や絵手紙や絵画、その他の好みの作品を簡単かつ確実に書くことができ、自在に作った自分の作品を使用して、これらの製品を完成させることができる利点がある。
（７）ライティングペーパーを毛筆や絵筆等の筆記用具により筆文字や水墨画や絵手紙や絵画を自在に書くことができる和紙や画仙紙や洋紙その他の用紙から形成すると共に、タックペーパーと一体形成したので、これらの筆記用具により筆文字や水墨画や絵手紙や絵画を自在に書くことができ、しかも墨や絵の具の滲みを表現できるのでより筆文字や水墨画や絵画や絵手紙らしいものとなり、さらにこれらを書いてもまくれや縮みや変形等の紙質の変化がなく、表現豊かなものが出来上がるという利点がある。
（８）子供やお年寄りにあっても、簡単かつ確実に好みの文字や絵を作成して、表書や包装物や紙製品や作品等に幅広く貼付して使用することが出来るので、従来の煩雑さや困難さが解消され、利用し易くなり、好みのものを簡単かつ確実に作ることができるという大なる効果があり、その適用範囲が幅広いものになる利点がある。
【発明を実施するための最良の形態】
【０００８】  次に、本発明を添付の図面を参照して、特定の実施の形態について詳述する。【０００９】  本発明のタックシートは、ベースペーパーの表面に裏面に接着剤が塗付されたタックペーパーが貼剥自在に貼付されたタックシートにおいて、
該タックペーパーの表面には、毛筆や絵筆等の筆記用具により筆文字や水墨画や絵手紙や絵画を自在に書くことができる和紙や画仙紙や洋紙その他の用紙からなるライティングペーパーが接合剤等により一体接合されることにより構成されており、
該ライティングペーパーを毛筆や絵筆等の筆記用具により筆文字や水墨画や絵手紙や絵画を自在に書くことができる和紙や画仙紙や洋紙その他の用紙から形成すると共に、タックペーパーと一体形成したので、これらの筆記用具により筆文字や水墨画や絵手紙や絵画を自在に書くことができ、しかも墨や絵の具の滲みを表現できるのでより筆文字や水墨画や絵画や絵手紙らしいものとなり、さらにこれらを書いても縮みや変形等の紙質の変化がなく、表現豊かなものが出来上がる優れたものとなる。
【実施例１】
【００１０】  図１は、本発明に基づくタックシートの実施の形態の第一実施例を示している。【００１１】  本発明のタックシート１は、
コーティング紙等からなるベースペーパー２と、
該ベースペーパー２の表面に貼剥自在に貼付されたタックペーパー３と、
該タックペーパー３の裏面に塗付された貼剥自在性を備えた接着剤４と、
上記タックペーパー３の表面には、接合剤５により一体接合されていて毛筆や絵筆等の筆記用具により筆文字や水墨画や絵手紙や絵画を自在に書くことができる和紙や画仙紙や洋紙その他の用紙からなるライティングペーパー６と、
から構成されており、
該ライティングペーパー６が上記タックペーパー３の表面に接合剤５により一体接合されることにより、
毛筆や絵筆等の筆記用具により筆文字や水墨画や絵手紙や絵画を自在に書くことができるライティングシート７が形成されている。【００１２】  該ベースペーパー２は、タックペーパー３が貼剥自在に貼付しても損傷しないように、強度のある紙質のものであるコーティング紙等から形成されている。【００１３】  また、上記タックペーパー３は、貼剥自在に貼付しても損傷しないようにベースペーパー２と同様に強度のある紙質のものであるコーティング紙等から形成されており、貼剥自在性を備えた接着剤４を介してベースペーパー２の表面に貼剥自在に貼付されている。【００１４】  さらに、上記接着剤４は、上記ベースペーパー２に上記タックペーパー３を貼剥自在に貼付しても損傷しないように、貼剥自在な接着性を備えたものからなる。【００１５】  一方、前記接合剤５は、
前記タックペーパー３の表面に、前記ライティングペーパー６を一体接合出来るように、剥離し難い一体固定する接合性を備えたものからなる。【００１６】  また、前記ライティングペーパー６は、
毛筆や絵筆等の筆記用具により筆文字や水墨画や絵手紙や絵画を自在に書くことができる和紙や画仙紙や洋紙その他の用紙からなる。【００１７】  例えば、該ライティングペーパー６は、
毛筆や絵筆等の筆記用具により筆文字や水墨画や絵手紙や絵画を自在に書くことができる和紙から形成することができる。【００１８】  また、該ライティングペーパー６は、
毛筆や絵筆等の筆記用具により筆文字や水墨画や絵手紙や絵画を自在に書くことができる画仙紙から形成することができる。【００１９】  さらに、該ライティングペーパー６は、
毛筆や絵筆等の筆記用具により筆文字や水墨画や絵手紙や絵画を自在に書くことができる洋紙から形成することができる。
【実施例２】
【００２０】  図２は、本発明に基づくタックシートの実施の形態の第二実施例を示している。【００２１】  前記ライティングペーパー６が前記タックペーパー３の表面に接合剤５により一体接合されることにより形成され、毛筆や絵筆等の筆記用具により筆文字や水墨画や絵手紙や絵画を自在に書くことができるライティングシート７は、
必要に応じてベースペーパー２から剥離して使用することができ、
例えば、郵便や宅配便その他の配送物１１の表書用に使用出来るように形成されている。【００２２】  すなわち、従来貼付に適するように破損しない強度のあるコーティング紙等が使用され、鉛筆やボールペンやペンや毛筆等により文字や絵を書くのが非常に困難であるという問題点があったが、
本発明の実施例２にあっては、裏面に接着剤４が貼剥自在塗付されたタックペーパー３の表面には、
毛筆や絵筆等の筆記用具により筆文字や水墨画や絵手紙や絵画を自在に書くことができる和紙や画仙紙や洋紙その他の用紙からなるライティングペーパー６が接合剤５等により一体接合してライティングシート７が形成されており、
毛筆や絵筆等の筆記用具により筆文字や水墨画や絵手紙や絵画を簡単かつ確実に書くことができ、
書き終わったライティングシート７を裏面に貼剥自在に塗付された接着剤４により、
郵便や宅配便その他の配送物１１に貼付して、それらの表書用に使用することが出来る。
【実施例３】
【００２３】  図３は、本発明に基づくタックシートの実施の形態の第三実施例を示している。【００２４】  前記ライティングペーパー６が前記タックペーパー３の表面に接合剤５により一体接合されることにより形成され、毛筆や絵筆等の筆記用具により筆文字や水墨画や絵手紙や絵画を自在に書くことができるライティングシート７は、
必要に応じてベースペーパー２から剥離して使用することができ、
例えば、封筒や郵便葉書や郵便書簡（ミニレター）や電子郵便（レタックス）や電報その他の郵便物１２の記載面に貼付して使用出来るように形成されている。【００２５】  すなわち、従来封筒や郵便葉書や郵便書簡（ミニレター）や電子郵便（レタックス）や電報その他の郵便物の記載面は、その材質により筆記用具が制限され、文字や絵を自在に書くことが非常に困難であるという問題点があったが、
本発明の実施例３にあっては、裏面に接着剤４が貼剥自在塗付されたタックペーパー３の表面には、
毛筆や絵筆等の筆記用具により筆文字や水墨画や絵手紙や絵画を自在に書くことができる和紙や画仙紙や洋紙その他の用紙からなるライティングペーパー６が接合剤５等により一体接合してライティングシート７が形成されており、
毛筆や絵筆等の筆記用具により筆文字や水墨画や絵手紙や絵画を簡単かつ確実に書くことができ、書き終わったライティングシート７を裏面に貼剥自在に塗付された接着剤４により、封筒や郵便葉書や郵便書簡（ミニレター）や電子郵便（レタックス）や電報その他の郵便物１２の記載面に貼付して、
それらの記載面として使用することが出来る。
【実施例４】
【００２６】  図４は、本発明に基づくタックシートの実施の形態の第四実施例を示している。【００２７】  前記ライティングペーパー６が前記タックペーパー３の表面に接合剤５により一体接合されることにより形成され、毛筆や絵筆等の筆記用具により筆文字や水墨画や絵手紙や絵画を自在に書くことができるライティングシート７は、
必要に応じてベースペーパー２から剥離して使用することができ、
例えば、ボードや板や額その他の作品展示用ベース１３に貼付して使用出来るよう形成されている。【００２８】  すなわち、従来油絵や水彩画等の絵画又は毛筆やペン字等による書、その他の文字や絵は、ボードや板に画仙紙等を糊や接合剤で接着した後、該画仙紙等に文字や絵を書いて作品を作成して、該作品を額にいれる等して作品を展示していた為、画仙紙等をボードや板に接着する作業が煩雑であるという問題点があったが、
本発明の実施例４にあっては、裏面に接着剤４が貼剥自在塗付されたタックペーパー３の表面には、
毛筆や絵筆等の筆記用具により筆文字や水墨画や絵手紙や絵画を自在に書くことができる和紙や画仙紙や洋紙その他の用紙からなるライティングペーパー６が接合剤５等により一体接合してライティングシート７が形成されており、
毛筆や絵筆等の筆記用具により筆文字や水墨画や絵手紙や絵画を簡単かつ確実に書くことができ、書き終わったライティングシート７を裏面に貼剥自在に塗付された接着剤４により、ボードや板や額その他の作品展示用ベース１３に簡単かつ確実に貼付して、
それら完成した作品１４として使用することが出来る。
【実施例５】
【００２９】  図５は、本発明に基づくタックシートの実施の形態の第五実施例を示している。【００３０】  前記ライティングペーパー６が前記タックペーパー３の表面に接合剤５により一体接合されることにより形成され、毛筆や絵筆等の筆記用具により筆文字や水墨画や絵手紙や絵画を自在に書くことができるライティングシート７は、
必要に応じてベースペーパー２から剥離して使用することができ、
例えば、ボトル、缶等の容器や書籍、カレンダ、カタログ、パンフレット等の印刷物や団扇、扇子、旗、掛軸等の紙製品、その他の製品、例えば、図５に示すように、製品であるワインボトル１５に貼付して使用出来るように形成される。【００３１】  すなわち、従来ボトル、缶等の容器や書籍、カレンダ、カタログ、パンフレット等の印刷物や団扇、扇子、旗、掛軸等の紙製品、その他の製品は、印刷等して作成したラベルをボトル、缶等の容器に貼付したり、カレンダ、カタログ、パンフレット等を印刷して作成したり、印刷物を団扇、扇子、旗、掛軸等の紙製品、その他に貼付して製品を作成していた為、貼付や接着する作業が煩雑であるという問題点があったが、
本発明の実施例５にあっては、裏面に接着剤４が貼剥自在塗付されたタックペーパー３の表面には、
毛筆や絵筆等の筆記用具により筆文字や水墨画や絵手紙や絵画を自在に書くことができる和紙や画仙紙や洋紙その他の用紙からなるライティングペーパー６が接合剤５等により一体接合してライティングシート７が形成されており、
毛筆や絵筆等の筆記用具により筆文字や水墨画や絵手紙や絵画を簡単かつ確実に書くことができ、書き終わったライティングシート７を裏面に貼剥自在に塗付された接着剤４により、
缶等の容器や書籍、カレンダ、カタログ、パンフレット等の印刷物や団扇、扇子、旗、掛軸等の紙製品、その他の製品１５に簡単かつ確実に貼付して、
それらの製品として使用することが出来る。【００３２】  例えば、図５に示すように、製品であるワインボトル１５の表面に前記タックシート１のライティングシート７を貼付することにより、毛筆や絵筆等により筆文字や水墨画や絵手紙や絵画が書かれたワインボトル１５が出来上がる。【００３３】  また、図６に示すように、カレンダー１６の原紙の表面に上記タックシート１のライティングシート７を貼付することにより、毛筆や絵筆等により筆文字（による曜日や日付等）や水墨画や絵手紙や絵画が書かれた製品であるカレンダー１６が出来上がる。【００３４】  このガレンダー１６は、
上段のライティングシート７と下段のライティングシート７を連続する月の曜日と日付とする（例えば、１月と２月や２月と３月とする等）ことや、
上段のライティングシート７をその月の曜日と日付とすると共に、下段のライティングシート７をその月に応じた筆文字や水墨画や絵（例えば、１月ならば、初日の出とすることや、７月ならば七夕とする等）とすることや、
これと逆に上段のライティングシート７をその月に応じた筆文字や水墨画や絵とすると共に、下段のライティングシート７をその月の曜日と日付とする等、
種々の表現とすることができる。【００３５】  また、図７に示すように、団扇１７の原紙の表面に前記タックシート１のライティングシート７を貼付することにより、毛筆や絵筆等により筆文字や水墨画や絵手紙や絵画が書かれた製品である団扇１７が出来上がる。【００３６】  尚、本考案のタックシートは、上記各実施例の各タックシートに限られることなく、種々の変形例が考えられる。【００３７】  例えば、本考案のタックシートに用いられるライティングペーパーは、
上記実施例の和紙や洋紙や画仙紙に限られることなく、
毛筆や絵筆等の筆記用具により筆文字や水墨画や絵手紙や絵画を自在に書くことができるものならば、
化粧紙、地紙、奉書紙、色紙、その他の用紙とすることができる。【００３８】  また、本考案のタックシートのライティングシートは、
上記実施例の矩形等の定形の形状に限られることなく、楕円形や円形その他の形状とすることができるのは勿論であり、
この他人間や動物や自動車や家屋等の具体的な形状に切抜いたものとすることができる。【００３９】  さらに、本考案のタックシートのライティングシートは、
上記実施例の郵便や宅配便その他の配送物の表書用に使用することや、
封筒や郵便葉書や郵便書簡（ミニレター）や電子郵便（レタックス）や電報その他の郵便物の記載面に貼付して使用することや、
ボードや板や額その他の作品展示用ベースに貼付して使用することや、
缶等の容器や書籍、カレンダ、カタログ、パンフレット等の印刷物や団扇、扇子、旗、掛軸等の紙製品、その他の製品に貼付して使用することに限られることなく、
家の中にあるテッシュ箱やごみ箱等の日用品、または鞄やバック等の身回品、その他のものに幅広く適用できるのは勿論である。【００４０】  次に、上記実施例の作用を図面に基づいて説明する。【００４１】  図１は、本考案に基づくタックシートの実施の形態の一例を示しており、
該タックシート１は、
コーティング紙等からなるベースペーパー２の表面に、
裏面に貼剥自在性を備えた接着剤４を塗付したタックペーパー３を貼剥自在に貼付すると共に、
さらに該タックペーパー３の表面に、接合剤５により、
毛筆や絵筆等の筆記用具により筆文字や水墨画や絵手紙や絵画を自在に書くことができる和紙や画仙紙や洋紙その他の用紙からなるライティングペーパー６を一体接合することにより、ライティングシート７を形成することにより、
形成することができる。【００４２】  すなわち、ベースペーパー２は、タックペーパー３を貼剥自在に貼付や剥離しても損傷する虞のない強度のある紙質のものから形成されている。【００４３】  また、タックペーパー３は、ベースペーパー２から貼剥自在に貼付や剥離しても損傷する虞のない強度のある紙質のものから形成されている。【００４４】  さらに、ライティングペーパー６は、
毛筆や絵筆等の筆記用具により筆文字や水墨画や絵手紙や絵画を自在に書くことができる和紙や画仙紙や洋紙その他の用紙から形成されており、
該毛筆や絵筆等の筆記用具を使用する際、墨や絵の具の滲みを表現できるのでより筆文字や水墨画や絵手紙や絵画らしいものとなり、表現豊かなものを仕上げることができ、
好みの作品を表装や裏打ちをすることなく簡単かつ確実に作ることができる。【００４５】  さらに、このタックシート１によれば、
ライティングペーパー６が、毛筆や絵筆等の筆記用具により筆文字や水墨画や絵手紙や絵画を自在に書くことができる和紙や画仙紙や洋紙その他の用紙から形成されているから、該ライティングペーパー６が前記タックペーパー３の表面に接合剤５により一体接合されることにより形成され、毛筆や絵筆等の筆記用具により筆文字や水墨画や絵手紙や絵画を自在に書くことができるライティングシート７は、
必要に応じてベースペーパー２から剥離して使用することができ、
目的物に貼付して使用出来るよう形成されており、
これを目的物に貼付することにより、目的を達成することができる。【００４６】  例えば、このライティングシート７は、
好みの文字や絵を書いた作品等を作成することや、作品を缶等の容器や書籍、カレンダ、カタログ、パンフレット等の印刷物や団扇、扇子、旗、掛軸等の紙製品に貼付して使用するが如くである。【００４７】  図２は、本発明に基づくタックシートの実施の形態の第二実施例を示しており、
前記ライティングシート７は、
郵便や宅配便その他の配送物の表書用に貼付して使用出来るように形成されている。【００４８】  すなわち、前記ライティングシート７のライティングペーパー６は、
毛筆や絵筆等の筆記用具により筆文字や水墨画や絵手紙や絵画を自在に書くことができる和紙や画仙紙や洋紙その他の用紙から形成されているから、
このライティングシート７によれば、
毛筆や絵筆等の筆記用具により筆文字や水墨画や絵手紙や絵画を自在に書くことができ、これを郵便や宅配便その他の配送物１１に貼付して、
それらの表書用に使用することが出来る。【００４９】  図３は、本発明に基づくタックシートの実施の形態の第三実施例を示しており、
前記ライティングシート７は、
封筒や郵便葉書や郵便書簡（ミニレター）や電子郵便（レタックス）や電報その他の郵便物１２の記載面に貼付して使用出来るように形成されている。【００５０】  すなわち、前記ライティングシート７のライティングペーパー６は、
毛筆や絵筆等の筆記用具により筆文字や水墨画や絵手紙や絵画を自在に書くことができる和紙や画仙紙や洋紙その他の用紙から形成されているから、
このライティングシート７によれば、
毛筆や絵筆等の筆記用具により筆文字や水墨画や絵手紙や絵画を自在に書くことができ、これを封筒や郵便葉書や郵便書簡（ミニレター）や電子郵便（レタックス）や電報その他の郵便物１２の記載面に貼付して、
それら郵便物１２に使用することが出来る。【００５１】  図４は、本発明に基づくタックシートの実施の形態の第四実施例を示しており、
前記ライティングシート７は、
ボードや板や額その他の作品展示用ベース１３に直接貼付して使用出来るように形成されている。【００５２】  すなわち、前記ライティングシート７のライティングペーパー６は、
毛筆や絵筆等の筆記用具により筆文字や水墨画や絵手紙や絵画を自在に書くことができる和紙や画仙紙や洋紙その他の用紙から形成されているから、
このライティングシート７によれば、
毛筆や絵筆等の筆記用具により筆文字や水墨画や絵手紙や絵画を自在に書くことができ、これをボードや板や額その他の作品展示用ベース１３の表面に貼付して、
それらの作品１４とすることが出来る。【００５３】  図５は、本発明に基づくタックシートの実施の形態の第五実施例を示しており、
前記ライティングシート７は、
缶等の容器や書籍、カレンダ、カタログ、パンフレット等の印刷物や団扇、扇子、旗、掛軸等の紙製品、その他の製品、例えば、製品であるワインボトル１５に簡単かつ確実に貼付して、製品であるワインボトル１５が形成されている。【００５４】  すなわち、前記ライティングシート７のライティングペーパー６は、
毛筆や絵筆等の筆記用具により筆文字や水墨画や絵手紙や絵画を自在に書くことができる和紙や画仙紙や洋紙その他の用紙から形成されているから、
このライティングシート７によれば、
毛筆や絵筆等の筆記用具により筆文字や水墨画や絵手紙や絵画を自在に書くことができ、これを缶等の容器や書籍、カレンダ、カタログ、パンフレット等の印刷物や団扇、扇子、旗、掛軸等の紙製品、その他の製品、例えば、製品であるワインボトル１５に簡単かつ確実に貼付して、製品であるワインボトル１５が出来上がる。【００５５】  また、図６に示すように、上記と同様に、
前記ライティングシート７をカレンダー１６の原紙の表面に貼付することにより、
毛筆や絵筆等により筆文字や水墨画や絵手紙や絵画が書かれた製品であるカレンダー１６が出来上がる。【００５６】  また、図７に示すように、上記と同様に、
前記ライティングシート７を団扇１７の原紙の表面に貼付することにより、
毛筆や絵筆等により筆文字や水墨画や絵手紙や絵画が書かれた製品である団扇１７が出来上がる。
【図面の簡単な説明】
【００５７】
【図１】  本発明に基づくタックシートの実施の形態の第一実施例を示す拡大断面図である。
【図２】  同タックシートの実施の形態の第二実施例を示す斜視図である。
【図３】  同タックシートの実施の形態の第三実施例を示す正面図である。
【図４】  同タックシートの実施の形態の第四実施例を示す斜視図である。
【図５】  同タックシートの実施の形態の第五実施例を示す正面図である。
【図６】  同タックシートの実施の形態の第五実施例の別形態を示す正面図である。
【図７】  同タックシートの実施の形態の第五実施例の別形態を示す正面図である。
【符号の説明】
【００５８】１      タックシート
２      ベースペーパー
３      タックペーパー
４      接着剤
５      接合剤
６      ライティングペーパー
７      ライティングシート
１１    配送物
１２    郵便物
１３    作品展示用ベース
１４    作品
１５    ワインボトル（製品）
１６    カレンダー（製品）
１７    団扇（製品）
【図１】
2006350268.tif 000003
【図２】
2006350268.tif 000004
【図３】
2006350268.tif 000005
【図４】
2006350268.tif 000006
【図５】
2006350268.tif 000007
【図６】
2006350268.tif 000008
【図７】
2006350268.tif 000009